(57)【特許請求の範囲】
【請求項１】
着用者の腹側に位置する前身頃（１），着用者の背側に位置する後身頃（２），及び前記前身頃（１）と前記後身頃（２）の間に位置する股下部（３）を有する吸収性本体（１０）と，
前記吸収性本体（１０）の肌非対向面に接合された固定手段（２０）と，を備え，
前記前身頃（１）と前記後身頃（２）とを結ぶ方向が長手方向となり，前記長手方向に直交する方向が幅方向となる，吸収性物品において，
前記固定手段（２０）は，第１固定シート（２０ａ）と第２固定シート（２０ｂ）を備え，
前記第１固定シート（２０ａ）は，
前記吸収性本体（１０）の肌非対向面のうち，前記幅方向の中央部分の左側に接合された第１接合部（２１ａ）と，
前記第１接合部（２１ａ）よりも前記幅方向の左方外側に延出し，前記吸収性本体（１０）の肌対向面に接合されていない左側自由部（２２）と，を有し，
前記第２固定シート（２０ｂ）は，
前記吸収性本体（１０）の肌非対向面のうち，前記幅方向の中央部分の右側に接合された第２接合部（２１ｂ）と，
前記第２接合部（２１ｂ）よりも前記幅方向の右方外側に延出し，前記吸収性本体（１０）の肌対向面に接合されていない右側自由部（２３）と，を有し，
前記左側自由部（２２）と前記右側自由部（２３）の肌非対向面側に，着用者の衣類に対して着脱自在に接着可能な左右の接着部（２４）が設けられており，
前記第１固定シート（２０ａ）は，前記第１接合部（２１ａ）を起点として，前記左側自由部（２２）が幅方向の左方外側に向かって折り返されたものであり，
前記第２固定シート（２０ｂ）は，前記第２接合部（２１ｂ）を起点として，前記右側自由部（２３）が幅方向の右方外側に向かって折り返されたものである
吸収性物品。
【請求項２】
前記左右の接着部（２４）を跨ぐように配置され，前記左右の接着部（２４）を着脱自在に被覆する剥離シート（２５）をさらに有する
請求項１に記載の吸収性物品。
【発明の詳細な説明】
【技術分野】
【０００１】
本発明は，着用者の股下に装着され，尿などの液体を吸収し保持するための吸収性物品に関する。具体的に説明すると，本発明の吸収性物品は，吸収性本体と，これを着用者の股下の衣類に対して取り付けるための固定手段とを備えるものである。
【背景技術】
【０００２】
従来から，排泄された体液を吸収保持することを目的として，着用者の股下に装着される吸収性物品が知られている。吸収性物品の例は，使い捨ておむつ，吸収性パッド，及び生理用ナプキンである。また，このような吸収性物品は，一般的に，着用時において，着用者の股下と下着などの衣類との間に配置される。このとき，衣類に対する吸収性物品の装着位置がずれてしまうことを防止するために，従来から，吸収性物品の肌非対向面に，粘着剤やファスニングテープなどの接着部が設けられた吸収性物品が知られている（例えば，特許文献１〜３。）この接着部を介して，吸収性物品と衣類を着脱可能に固定することで，着用者が歩いたり椅子に座ったりする動作を行った場合であっても，吸収性物品と衣類の間にズレが生じることを防止でき，吸収性物品の着用感を向上させることができる。
【０００３】
例えば，特許文献１には，液透過性のトップシートと液不透過性のバックシートを備える吸収性物品において，バックシートの肌非対向面に粘着部を全体的に設けたものが開示されている。特許文献１の吸収性物品のように，バックシートの肌非対向面に粘着部を設けることで，この粘着部を着用者の下着の内面などに接着することができる。
【０００４】
また，特許文献２には，左右両側にサイドフラップが形成された矩形状の吸収性物品において，このサイドフラップの肌非対向面に粘着部を設けたものが開示されている。また，特許文献３には，左右両側に延出するウイング部が形成された吸収性物品において，このウイング部の肌非対向面に粘着部を設けたものが開示されている。特許文献２や特許文献３に開示された吸収性物品は，サイドフラップ又はウイング部を折り返すことで，粘着部を下着の外面などに接着することができるようになっている。
【先行技術文献】
【特許文献】
【０００５】
【特許文献１】特開２０１２−０７５５５３号公報
【特許文献２】特開２００９−２６８６８７号公報
【特許文献３】特開２００９−１１８９２８号公報
【発明の概要】
【発明が解決しようとする課題】
【０００６】
ところで，吸収性パッドや生理用ナプキンなどの一般的な吸収性物品は，液透過性のトップシートと液不透過性のバックシートの間に，尿などの液体を吸収して保持するための吸収体が配置されている。そして，特許文献１〜３に開示された従来の吸収性物品は，いずれも，吸収性物品を構成するバックシートの肌非対向面に，下着などの衣類に接着する粘着部が設けられている。このように，粘着部などを介して吸収性物品と衣類とを固着することで，吸収性物品の位置ズレを防止し，結果として，着用者が排泄した尿などが外部に漏れ出すことを防止できるというメリットがある。
【０００７】
しかしながら，従来の吸収性物品のように，バックシートの肌非対向面に粘着部が設けられていると，この粘着部を下着に接着するためにバックシートの一部又は全部を折り曲げたときに，このバックシートと共に吸収体が折れ曲がってしまうという問題があった。特にボクサータイプやトランクスタイプなど，着用者の両太腿周りを被覆する裾部分を備えた下着の場合，この裾部分の内面に吸収性物品の粘着部を取り付けようとすると，吸収体が，幅方向の中央において山折りとなるように凸状に折れ曲がってしまう。そして，吸収体自体が山折りとなると，着用者の肌と吸収体との間に隙間が生じてしまうため，尿などの液体が着用者の内太腿辺りを伝って外部に漏洩しやすくなり，着用者の衣服を汚してしまうというおそれがあった。このため，ボクサータイプやトランクスタイプの下着を装着する際には，吸収性本体の粘着部を使用しないという者も存在する。しかし，吸収性物品の粘着部を下着に接着しない場合，吸収性物品の装着位置が適正な位置から徐々にずれていき，その結果，尿漏れが発生するおそれがある。
【０００８】
このため，現在では，粘着部などを介して衣類に固着した場合であっても，山折り状に折れ曲がることなく適正な形状を保つことのできる吸収性物品が求められている。
【課題を解決するための手段】
【０００９】
本発明の発明者は，従来技術の問題を解決する手段について鋭意検討した結果，吸収性本体から独立した固定手段を設け，この固定手段を吸収性本体の肌対向面側に部分的に接合するとともに，この固定手段の自由部に粘着剤などの接着部を設けることとした。このように，固定手段を吸収性本体から独立させることで，この固定手段を折り曲げたり折り返したりした場合であっても，吸収性本体が折れ曲がることがなくなる。これにより，吸収性本体を適切な形状に保つことができるようになり，尿漏れを効果的に防止できる。そして，本発明者は，上記知見に基づけば，従来技術の問題を解決できることに想到し，本発明を完成させた。具体的に説明すると，本発明は以下の構成を有する。
【００１０】
本発明は，吸収性物品に関する。
本発明の吸収性物品は，吸収性本体１０と固定手段２０とを備える。
吸収性本体１０は，着用者の腹側に位置する前身頃１と，着用者の背側に位置する後身頃２と，これらの間に位置する股下部３とを有する。
固定手段２０は，吸収性本体１０の肌非対向面に部分的に接合されている。固定手段２０は，例えば一又は複数のシート部材によって構成される。
吸収性物品は，前身頃１と後身頃２を結ぶ方向が長手方向となり，この長手方向に直交する方向が幅方向となるものである。
ここで，固定手段２０は，接合部２１と，左右の自由部２２，２３と，左右の接着部２４とを有する。
接合部２１は，吸収性本体１０の肌非対向面の幅方向の中央部分に接合された部位である。左右の自由部２２，２３は，接合部２１の幅方向の左右外側に延出し，吸収性本体１０の肌対向面に接合されていない部位である。接着部２４は，左右の自由部２２，２３の肌非対向面側に設けられており，着用者の衣類に対して着脱自在に接着可能な部位である。
【００１１】
上記構成のように，本発明の吸収性物品は，吸収性本体１０と，これを着用者の下着などの衣類に固定するための固定手段２０とを備えている。そして，固定手段２０を吸収性本体１０の肌非対向面に部分的に接合するとともに，この固定手段２０に粘着剤やファスニングテープなどの接着部２４を設けている。このため，着用者の衣類の形状に合わせて固定手段２０を折り返したり折り曲げたりして，この衣類に接着部２４を取り付けた場合であっても，吸収性本体１０は，折れ曲がることなく適正な形状を保つことができる。このため，吸収性本体１０を着用者の肌に密着させ続けることが可能となる。これにより，吸収性本体１０と着用者の肌との間に隙間が生じにくくなり，尿漏れが発生することを効果的に防止できる。
【００１２】
本発明の吸収性物品において，固定手段２０の接合部２１の幅方向の長さは，吸収性本体１０の幅方向の長さに対して，１％以上５０％以下であることが好ましい。
【００１３】
上記のように，固定手段２０の接合部２１の幅方向の長さ（横幅ともいう）を，吸収性本体１０の幅方向の長さの５０％以下とすることで，固定手段２０を折り曲げたときに，吸収性本体１０も一緒に折れ曲がってしまうことを回避できる。つまり，固定手段２０の接合部２１の横幅が５０％を超えるものであると，固定手段２０を折り曲げたときの影響が吸収性本体１０に及ぶおそれがあるため，接合部２１の横幅は５０％以下とすることが好ましい。
【００１４】
本発明の吸収性物品において，固定手段２０は，固定シートによって，接合部２１及び左右の自由部２２，２３が形成されたものであることとしてもよい。つまり，これらの接合部２１及び左右の自由部２２，２３が一体的に連結して固定シートが形成されている。なお，固定シートは，一層であってもよいし複数層であってもよい。
【００１５】
上記のように，シート部材（固定シート）が接合部２１と左右の自由部２２，２３とを備えるものとすることにより，吸収性物品の構造が比較的シンプルになるため，その製造工程などを簡素化することができる。
【００１６】
本発明の吸収性物品において，固定手段２０は，第１固定シート２０ａと第２固定シート２０ｂとを備えるものであってもよい。
第１固定シート２０ａは，第１接合部２１ａと左側自由部２２とを有する。第１接合部２１ａは，吸収性本体１０の肌非対向面のうち，幅方向の中央部分の左側に接合された部位である。また，左側自由部２２は，第１接合部２１ａよりも幅方向の左方外側に延出し，吸収性本体１０の肌対向面に接合されていない部位である。
第２固定シート２０ｂは，第２接合部２１ｂと右側自由部２３とを有する。第２接合部２１ｂは，吸収性本体１０の肌非対向面のうち，幅方向の中央部分の右側に接合された部位である。また，右側自由部２３は，第２接合部２１ｂよりも幅方向の右方外側に延出し，吸収性本体１０の肌対向面に接合されていない部位である。第１固定シート２０ａの第１接合部２１ａと第２固定シート２０ｂの第２接合部２１ｂは，隣接して配置されていることが好ましい。
また，左右の接着部２４は，それぞれ，左側自由部２２と右側自由部２３の肌非対向面側に設けられる。
【００１７】
上記構成のように，固定手段２０は，複数のシート部材（第１固定シート，第２固定シート）によって構成されたものであってもよい。この場合，第１固定シート２０ａと第２固定シート２０ｂのそれぞれが，吸収性本体１０の肌非対向面に接合される接合部２１ａ，２１ｂと，吸収性本体１０から乖離している自由部２２，２３とを有することとなる。このように，複数のシート部材によって固定手段２０を構成することもできる。
【００１８】
本発明の吸収性物品において，第１固定シート２０ａは，第１接合部２１ａを起点として，左側自由部２２が幅方向の左方外側に向かって折り返されたものであってもよい。また，同様に，第２固定シート２０ｂは，第２接合部２１ｂを起点として，右側自由部２３が幅方向の右方外側に向かって折り返されたものであってもよい。
つまり，第１固定シート２０ａにおける左側自由部２２の起立線（第１接合部２１ａと左側自由部２２の境界線）と第２固定シート２０ｂにおける右側自由部２３の起立線（第２接合部２１ｂと右側自由部２３の境界線）は，互いに向かい合った状態となる。なお，本実施形態は，図９及び図１０に示されている。
【００１９】
上記構成のように，左側自由部２２の起立線と右側自由部２３の起立線とを向かい合わせで配置することで，これらの起立線の間隔を近づけることができる。これにより，左側自由部２２と右側自由部２３とによって着用者の下着の股下部分を挟み込むようにした場合であっても，吸収性本体１０にほとんど影響を与えないため，吸収性本体１０の形状を適正に保ちやすくなる。さらに，上記のように構成することで，左側自由部２２の起立線と右側自由部２３の起立線とを近づけた場合であっても，第１接合部２１ａと第２接合部２１ｂの横幅を広く確保できる。これにより，第１固定シート２０ａと第２固定シート２０ｂとが吸収性本体１０から外れにくくなる。
【００２０】
本発明の吸収性物品は，さらに，剥離シート２５を有するものであってもよい。剥離シート２５は，左右の接着部２４を跨ぐように配置され，左右の接着部２４を着脱自在に被覆する剥離シート２５を有するものであってもよい。
【００２１】
上記構成のように，左右の接着部２４を跨ぐように剥離シート２５を配置しておくことで，左右の接着部２４の間に手指を挿入して剥離シート２５を剥離しやすくなる。このため，左右の接着部２４をそれぞれ別個の剥離シート２５によって被覆するよりも，左右の接着部２４を一枚の剥離シート２５によって被覆することの方が好ましいといえる。
【発明の効果】
【００２２】
本発明の吸収性物品は，固定手段によって衣類に取り付けられているため，その装着位置にズレが生じにくい。さらに，本発明の吸収性物品は，固定手段によって衣類に取り付けられた場合であっても，吸収性本体が山折り状に折れ曲がることないため，その形状を適正に保つことができる。従って，本発明によれば，着用者が排泄した尿などが外部に漏洩することを効果的に防止できる。
【図面の簡単な説明】
【００２３】
【図１】図１は，本発明の第１の実施形態に係る吸収性物品を示した斜視図である。
【図２】図２は，吸収性物品の幅方向の断面図である。
【図３】図３は，吸収性物品を下着に装着した状態を模式的に示した断面図である。
【図４】図４は，吸収性物品を肌非対向面側からみた状態を示した平面図である。
【図５】図５は，固定手段（固定シート）の他の例を示した平面図である。
【図６】図６は，固定手段（固定シート）のさらに別の例を示した平面図である。
【図７】図７は，本発明の第２の実施形態に係る吸収性物品を示した断面図である。
【図８】図８は，本発明の第３の実施形態に係る吸収性物品を示した断面図である。
【図９】図９は，吸収性物品を下着に装着した状態を模式的に示した断面図である。
【発明を実施するための形態】
【００２４】
以下，図面を用いて本発明を実施するための形態について説明する。本発明は，以下に説明する形態に限定されるものではなく，以下の形態から当業者が自明な範囲で適宜変更したものも含む。
【００２５】
本願明細書において，「Ａ〜Ｂ」とは，「Ａ以上Ｂ以下」であることを意味する。
また，本願明細書において，「長手方向」とは，吸収性物品のうち，着用者の腹部側に位置する前身頃と着用者の背部側に位置する後身頃とを結ぶ方向を意味する。また，「幅方向」とは，吸収性物品の長手方向に平面的に直交する方向を意味する。
また，本願明細書において，「肌対向面」とは，吸収性物品の着用時において着用者の肌に対向する面を意味する。また，「肌非対向面」とは，吸収性物品の着用時において着用者の肌に対向しない面を意味している。
【００２６】
本願明細書では，本発明に係る吸収性物品が，吸収性パッドである場合を例に挙げて説明する。ただし，本発明は，着用者の下着等のアウターと併用して股下に装着され，尿などの液体を吸収し保持するための吸収性物品であれば，公知のものに適用することができる。例えば，本発明の吸収性物品は，パンツ型やテープ型の使い捨ておむつ等と併用する尿パッドであってもよいし，下着等と併用する軽失禁パッドや生理用ナプキンであってもよい。
【００２７】
［１．第１の実施形態］
図１〜図６を参照して，本発明に係る吸収性物品１００の第１の実施形態について説明する。第１の実施形態に係る吸収性物品１００は，固定手段２０がシート部材（固定シート２０）によって構成されている。
【００２８】
図１は，第１の実施形態に係る吸収性物品１００の斜視図である。吸収性物品１００は，基本的に，着用者の股下において，着用者の肌と下着などの衣類の間に配置して使用される。図１及び図２に示されるように，本発明の吸収性物品１００は，吸収性本体１０と固定シート２０とを備えている。吸収性本体１０は，着用者の股下に当てがわれて，着用者が排泄した尿などの液体を吸収して保持するための構成部品である。固定シート２０は，着用者が装着しているパンツなどの下着に吸収性本体１０を固定して，吸収性本体１０の装着位置のズレを防止するための構成部品である。図１に示されるように，固定シート２０は，吸収性本体１０の肌非対向面に部分的に固定されている。
【００２９】
まず，吸収性本体１０の構成について説明する。吸収性本体１０は，基本的に，公知の構成を適宜採用することができる。図２は，吸収性物品１００を長手方向の中頃において，その幅方向に沿って切断した状態の断面構造を示している。図１に示されるように，吸収性本体１０は，着用者の腹側に位置する前身頃１と，着用者の背側に位置する後身頃２と，これらの間に位置する股下部３を有する。吸収性本体１０の股下部３が着用者の股下に当てがわれると，前身頃１が着用者の腹部を覆い，後身頃２が着用者の背部を覆うようになる。また，図１及び図２に示されるように，吸収性本体１０は，基本的に，液透過性のトップシート１１と，液不透過性のバックシート１２と，これらの間に介在する吸収体１３とを有している。トップシート１１は，吸収体１３の肌対向面側を被覆しており，バックシート１２は，吸収体１３の肌非対向面側を被覆している。トップシート１１とバックシート１２は，吸収体１３の周囲において互いに接合されている。これにより，吸収体１３は，トップシート１１とバックシート１２によって周囲を囲われたものとなる。
【００３０】
トップシート１１は，着用者の股下の肌に直接接し，尿などの液体を吸収体１３へ透過させるためのシート状の部材である。このため，トップシート１１は，柔軟性が高い液透過性材料で構成される。トップシート１１を構成する透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。不織布としては，エアスルー不織布，ポイントボンド不織布，スパンボンド不織布，メルトブロー不織布などを挙げることができる。
【００３１】
バックシート１２は，トップシート１１透過して吸収体１３に吸収された液体が，おむつの外部へ漏出することを防止するためのシート状の部材である。このため，バックシート１２は，液不透過性材料によって構成される。バックシート１２を構成する液不透過材料の例は，ポリエチレン樹脂からなる液不透過性のフィルムである。特に，バックシート１２としては，液不透過性を維持しつつ通気性を確保するために，０．１〜４μｍの微細な孔が複数形成された微多孔性ポリエチレンフィルムを用いることが好ましい。
【００３２】
吸収体１３は，尿などの液体を吸収し，吸収した液体を保持するための部材である。吸収体１３は，液透過性のトップシート１１と，液不透過性のバックシート１２の間に配置される。吸収体１３は，それぞれ，公知の吸収性材料により構成することができる。吸収性材料としては，例えば，針葉樹などの繊維材料を解砕してなるフラッフパルプや，高吸水性ポリマー（ＳＡＰ），親水性シートを用いることとしてもよい。また，吸収性材料には，フラッフパルプ，高吸水性ポリマー，又は親水性シートのうち１種類を単独で用いてもよいし，２種類以上を組み合せて併用することとしてもよい。
【００３３】
さらに，吸収性本体１０は，左右一対のサイドシート１４を有していてもよい。図２に示されるように，一対のサイドシート１４は，トップシート１１の幅方向左右両側の肌対向面に重ね合わされている。一対のサイドシート１４は，吸収体１３の両側縁に沿って起立して，尿の横漏れを防止する立体ギャザーを形成するためのシート部材である。例えば，サイドシート１４を構成するシート部材としては，撥水性と通気性を有するシート部材を採用することが好ましい。サイドシート１４としては，例えば，カードエンボスやスパンボンド等の製法により得られた不織布シートを使用することができ，特に防水性及び通気性が高いＳＭＳやＳＭＭＳ等の不織布シートを用いることが好ましい。
【００３４】
サイドシート１４は，幅方向外側においてトップシート１１に固定されているのに対し，幅方向内側においてはトップシート１１から乖離して自由に起立できるようになっている。そして，サイドシート１４の自由部分の先端付近には，吸収性本体１０の方向に沿って一又は複数の弾性伸縮部材１５が取り付けられている。このため，この弾性伸縮部材１５が収縮すると，弾性伸縮部材１５に引っ張られるようにしてサイドシート１４の自由部分が起立する。これにより，サイドシート１４によって，着用者の股下に相当する部位に，尿の横漏れを防止する立体ギャザーが形成される。
【００３５】
続いて，固定シート２０（固定手段）について説明する。固定シート２０は，吸収性本体１０を着用者が装着している衣類に固定するための構成部品である。図１及び図２に示されるように，固定シート２０は，吸収性本体１０とは別の独立したシート部材によって構成されている。本実施形態において，固定シート２０は，一枚のシート部材から構成されている。ただし，固定シート２０は，複数枚のシート部材を重ねることによって構成されたものであってもよい。
【００３６】
固定シート２０は，吸収性本体１０の肌非対向面，具体的にはバックシート１２の肌非対向面に部分的に接合されている。図１及び図２に示されるように，固定シート２０は，幅方向の中央に位置する接合部２１と，この接合部２１の左側に延出した左側自由部２２と，接合部２１の右側に延出した右側自由部２３とを有している。本実施形態において，接合部２１，左側自由部２２，及び右側自由部２３が一体的に繋がって固定シート２０を構成している。本実施形態において，固定シート２０は，幅方向に長い長方形状に形成されている。ただし，固定シート２０の形状は，長方形状に限られない。例えば，固定シート２０は，左右の自由部２２，２３が，台形状やその他の多角形状となっていてもよいし，半円形状や扇形などの曲線を含む形状となっていてもよい。
【００３７】
固定シート２０の接合部２１は，吸収性本体１０の肌非対向面に接合された部位である。例えば，固定シート２０の接合部２１は，ホットメルトなどの接着剤や，ヒートシール，超音波シールなどの公知の接合手段によって，吸収性本体１０に対して剥離不能に接合されている。ここにいう剥離不能とは，完全に剥離できない場合だけでなく，無理に剥がそうとすれば一応は剥がれるものの，固定シート２０などに破損や裂損が生じてしまう場合のように，これを剥離することが想定されていない場合を含む。図２において，接合部２１とバックシート１２の接合箇所を，符号３１によって示している。図２に示されるように，固定シート２０の接合部２１は，吸収性本体１０の肌非対向面のうち，幅方向の中央部分に接合される。このため，吸収性本体１０は，固定シート２０との接合箇所３１の幅方向左右両側に，この固定シート２０と接合されていない非接合箇所３２が存在することとなる。
【００３８】
固定シート２０の左側自由部２２と右側自由部２３は，接合部２１の幅方向の左右外側に延出する部分であり，吸収性本体１０の肌非対向面には接合されずに乖離している。このため，左右の自由部２２，２３は，接合部２１との境界を折線として，自由に折り曲げることができる。図２に示されるように，左右の自由部２２，２３は，それぞれ，吸収性本体１０の肌非対向面に対面する部分を有している。すなわち，左右の自由部２２，２３を折り曲げない場合に，この自由部２２，２３は吸収性本体１０の肌非対向面（バックシート１２等）に接触するようになっている。このように，左右の自由部２２，２３は，少なくとも部分的に，吸収性本体１０の肌非対向面側に隠れる部位となる。
【００３９】
また，図１及び図２に示されるように，左側自由部２２と右側自由部２３の肌非対向面には，それぞれ，接着部２４が設けられている。左右の接着部２４は，それぞれ，着用者の衣類に対して着脱自在に接着できるような材料や素材で形成される。例えば，接着部２４としては，粘着剤やファスニングテープのオス部材などを採用することができる。また，粘着剤としては，例えばホットメルト接着剤などの公知のものを用いればよい。接着部２４は，左右の自由部２２，２３の先端側の位置に配置される。具体的には，接着部２４は，左右の自由部２２，２３を幅方向に２分割したエリアのうち，幅方向外側の先端側のエリアに，一部又は全部が位置していることが好ましい。このように接着部２４を配置することで，固定シート２０が着用者の衣類から外れにくくなる。
【００４０】
上記のように，本発明の吸収性物品１００では，吸収性本体１０の肌非対向面側に，この吸収性本体１０から独立した固定シート２０が部分的に接合されている。そして，固定シート２０の自由部２２，２３に，粘着剤やファスニングテープなどの接着部２４が設けられている。このため，固定シート２０の自由部２２，２３を着用者の衣類の形状に合わせて折り返したり折り曲げたりした場合であっても，吸収性本体１０は，折れ曲がることなく適正な形状を保つことができる。このため，吸収性本体１０を着用者の肌に密着させ続けることが可能となる。これにより，吸収性本体１０と着用者の肌との間に隙間が生じにくくなり，尿漏れが発生することを効果的に防止できる。
【００４１】
また，図２において，吸収性本体１０の幅方向の長さ（横幅）（最大値）が符号Ｗ１で示されており，固定シート２０の接合部２１の幅方向の長さ（横幅）（最大値）が符号Ｗ２で示されている。この場合に，固定シート２０の接合部２１の横幅Ｗ２は，吸収性本体１０の横幅Ｗ１を１００％とした場合に，１％〜５０％であることが好ましく，１％〜３０％又は１％〜２０％であることが特に好ましい。接合部２１の横幅Ｗ２が吸収性本体１０の横幅Ｗ１の５０％を超えるものである場合，固定シート２０の自由部２２，２３を折り曲げたときの影響が吸収性本体１０にも及び，吸収性本体１０が折れ曲がってしまうおそれがある。これに対して，接合部２１の横幅Ｗ２を吸収性本体１０の横幅Ｗ１の５０％以下とすることで，固定シート２０を折り曲げた場合に，吸収性本体１０も一緒に折れ曲がってしまうことを回避できる。具体的には，接合部２１の横幅Ｗ２は，３０ｍｍ以下であることが好ましく，１０ｍｍ以下であることが特に好ましい。ただし，接合部２１の横幅Ｗ２が短すぎると，固定シート２０と吸収性本体１０の接合状態が弱まり，固定シート２０が吸収性本体１０から意図せず剥離してしまうおそれがある。そこで，接合部２１の横幅Ｗ２は，少なくとも５ｍｍ以上又は７ｍｍ以上であることが好ましい。
【００４２】
また，図２には，固定シート２０の自由部２２，２３の幅方向の長さ（横幅）（最大値）が符号Ｗ３で示されている。自由部２２，２３は，着用者の下着などに取り付けることができる適切な横幅を有していればよい。例えば，自由部２２，２３の横幅Ｗ３は，３０ｍｍ〜１００ｍｍ，又は５０ｍｍ〜８０ｍｍであることが好ましい。
【００４３】
図３は，第１の実施形態に係る吸収性物品１００をボクサータイプの下着に取り付けた状態を模式的に示している。図３に示されるように，ボクサータイプの下着は，着用者の股下を覆う部位に，比較的横幅の広い平面部分がある。また，ボクサータイプの下着は，着用者の太腿周りを覆う裾部分を有している。このため，第１の実施形態に係る吸収性物品１００をこの下着に取り付ける際には，固定シート２０の接合部２１を股下の平面部分に当てがい，さらに，接着部２４を介して固定シート２０の自由部２２，２３を太腿周りの裾部分に接着させる。これにより，吸収性物品１００を下着に取り付けることができる。吸収性物品１００と下着は，接着部２４を介してある程度強力に固定されているため，着用者が歩いたり座ったりした場合であっても，吸収性物品１００の装着位置がずれにくくなっている。また，図３に示されるように，固定シート２０の自由部２２，２３を折り曲げて下着に接着した場合であっても，この自由部２２，２３と吸収性本体１０は乖離しているため，吸収性本体１０は折れ曲がらず適切な形状を維持していることがわかる。これにより，吸収性本体１０と着用者の股下が密着し続けるため，吸収性本体１０によって尿などの液体を効果的に捕集することができる。
【００４４】
固定シート２０を形成する素材は特に限定されないが，固定シート２０を衣類に固定するときに容易には裂けない程度の強度を有していることが好ましい。また，固定シート２０の自由部２２，２３は着用者の肌に接触する部位であるため，固定シート２０は，肌触りが良く通気性に優れた素材で形成されていることが好ましい。固定シート２０を構成するシート部材としては，例えば，織布，不織布，又は多孔性フィルムを用いればよい。不織布としては，エアスルー不織布，ポイントボンド不織布，スパンボンド不織布，メルトブロー不織布などを挙げることができる。また，固定シート２０の強度を向上させるために，複数のシート部材を積層させて固定シート２０を形成してもよい
【００４５】
図４は，第１の実施形態に係る吸収性物品１００の平面図の例を示している。図４（ａ）では，吸収性本体１０の横幅（最大値）が符号Ｗ１で示され，折り曲げていない状態の固定シート２０全体の横幅（最大値）が符号Ｗ４で示されている。そして，図４（ａ）に示された例では，固定シート２０全体の横幅Ｗ４が，吸収性本体１０の横幅Ｗ１以上となっている（Ｗ４≧Ｗ１）。このように，固定シート２０全体の横幅Ｗ４を吸収性本体１０の横幅Ｗ１以上とすることで，接合部２１及び自由部２２，２３の横幅を広く確保できるため，吸収性本体１０を着用者の衣類に対して安定的に固定できるというメリットがある。
【００４６】
他方，図４（ｂ）では，固定シート２０全体の横幅Ｗ４が，吸収性本体１０の横幅Ｗ１未満となっている（Ｗ４＜Ｗ１）。このように，固定シート２０全体の横幅Ｗ４を吸収性本体１０の横幅Ｗ１よりも狭くすることで，固定シート２０が吸収性本体１０からはみ出さなくなるため，吸収性物品１００全体の見栄えが良くなるというメリットがある。
【００４７】
また，図４（ａ）に示されるように，固定シート２０は，吸収性本体１０の長手方向の中央部分に配置される。つまり，固定シート２０は，吸収性本体１０の股下部３を中心として配置される。ただし，固定シート２０は，吸収性本体１０の前身頃１や後身頃２にまで延びていてもよい。また，図４（ａ）では，吸収性本体１０の長手方向の長さ（全長）（最大値）が符号Ｌ１で示され，固定シート２０の長手方向の長さ（全長）（最大値）が符号Ｌ２で示されている。固定シート２０の全長Ｌ２は，吸収性本体１０の全長Ｌ１に対して，５％〜５０％又は１０％〜３０％であることが好ましい。固定シート２０の全長Ｌ２が長過ぎると，却って，固定シート２０を衣類に取り付けにくくなるとともに，着用時において固定シート２０に皺が生じて着用者に不快感を与えるおそれがある。他方で，固定シート２０の全長Ｌ２が短すぎると，この固定シート２０を衣類に対して強固に固定することができない。このため，固定シート２０の全長Ｌ２は，吸収性本体１０の全長Ｌ１に対して，１０％〜５０％又は１５％〜４０％であることが適正であるといえる。
【００４８】
また，図４（ａ）において，固定シート２０の自由部２２，２３の幅方向の長さ（横幅）（最大値）が符号Ｗ３で示され，接着部２４の幅方向の長さ（横幅）（最大値）が符号Ｗ５で示されている。このとき，接着部２４の横幅Ｗ５は，自由部２２，２３の横幅Ｗ３の半分以上であることが好ましい（Ｗ５≧Ｗ３／２）。具体的には，接着部２４の横幅Ｗ５は，自由部２２，２３の横幅Ｗ３に対して，５０％〜１００％又は６０％〜９０％であることが好ましい。接着部２４の横幅Ｗ５が，自由部２２，２３の横幅Ｗ３に対して５０％未満であると，固定シート２０が着用者の衣類に対して安定的に接着さえないおそれがある。この場合，着用者が激しい運動をしたとき，固定シート２０が衣類から外れてしまうことも懸念される。そこで，接着部２４の横幅Ｗ５は比較的広く確保し，少なくとも自由部２２，２３の横幅Ｗ３に対して５０％以上とすることが好ましい。
【００４９】
図５は，固定シート２０の他の例を示した平面図である。図５に示されるように，固定シート２０の左側自由部２２と右側自由部２３には，それぞれ，複数個ずつ接着部２４が設けられていてもよい。図５に示した例では，左右の自由部２２，２３にそれぞれ６個ずつ接着部２４が設けられている。例えば，複数の接着部２４は，幅方向と長手方向にそれぞれ間隔をおいて配置される。このように，複数の接着部２４を設けることで，着用者の衣類に対して自由部２２，２３を取り付けることができる範囲を広く確保できるため，自由部２２，２３と衣類の接着力が強くなる。また，複数の接着部２４を間隔を空けて設けることで，接着部２４の隙間に手指を挿入することができるようになるため，この自由部２２，２３を衣類から比較的容易に取り外すことができるようになる。これにより，自由部２２，２３の接着力向上と取り外し易さを両立させることができる。
【００５０】
図６は，固定シート２０のさらに別の例を示した平面図である。図６に示されるように，本発明は，固定シート２０の肌非対向面を被覆するための剥離シート２５をさらに備えていてもよい。例えば，固定シート２０に設けられた接着部２４が粘着剤である場合，この接着部２４を剥離シート２５によって覆っておくこと良い。このとき，図６に示されるように，剥離シート２５は，左側自由部２２に設けられた接着部２４と右側自由部２３に設けられた接着部２４とに跨るように，配置されたものであることが好ましい。このように配置することで，剥離シート２５の幅方向の左右両側は接着部２４に接着しているものの，その幅方向の中央部は固定シート２０に接着していない状態となる。このため，剥離シート２５を剥がすときに，その幅方向の中央部に手指を入れれば，その中央部を剥離のきっかけとすることができるため，比較的容易に剥離シート２５を剥がすことができるようになる。また，図６に示されるように，剥離シート２５の幅方向の中央部には，長手方向に沿って延びるミシン目２６を形成してもよい。このように剥離シート２５の幅方向の中央部にミシン目２６を設けておくことで，左右の片側ずつ剥離シート２５を剥がすことができるようになる。このため，固定シート２０の利便性が高まる。
【００５１】
［２．第２の実施形態］
続いて，図７を参照して，本発明に係る吸収性物品１００の第２の実施形態について説明する。第２の実施形態に係る吸収性物品１００は，固定手段２０が２枚のシート部材（第１固定シート２０ａ，第２固定シート２０ｂ）によって構成されている。第２の実施形態についての説明では，上述した第１の実施形態と同様の構成については説明を省略し，第１の実施形態と異なる構成を中心に説明を行う。
【００５２】
図７は，第２の実施形態に係る吸収性物品１００の断面図である。図７に示されるように，第２の実施形態に係る吸収性物品１００は，第１固定シート２０ａと第２固定シート２０ｂを有している。第１固定シート２０ａと第２固定シート２０ｂは，互いに分離されており，それぞれ異なるシート部材となっている。第１固定シート２０ａは，第１接合部２１ａと左側自由部２２とを有する。また，第２固定シート２０ｂは，第２接合部２１ｂと右側自由部２３とを有する。
【００５３】
図７に示されるように，第１固定シート２０ａの第１接合部２１ａと，第２固定シート２０ｂの第２接合部２１ｂは，吸収性本体１０の肌非対向面の幅方向の中央部分に接合されている。ただし，第１固定シート２０ａの第１接合部２１ａは，比較的左寄りに位置し，第２固定シート２０ｂの第２接合部２１ｂは，比較的右寄りに位置している。このように，第１接合部２１ａと第２接合部２１ｂは互いに分離したものとなる。
【００５４】
また，図７に示されるように，第１固定シート２０ａの第１接合部２１ａのうち，幅方向外側の端部から，さらに幅方向外側に向かって左側自由部２２が延出している。また，第２固定シート２０ｂの第２接合部２１ｂのうち，幅方向外側の端部から，さらに幅方向外側に向かって右側自由部２３が延出している。これら左側自由部２２と右側自由部２３の構成は，上述した第１の実施形態と同様である。
【００５５】
図７に示された第２の実施形態のように，固定手段２０を，第１固定シート２０ａと第２固定シート２０ｂの２枚のシート部材から構成することもできる。例えば，第１固定シート２０ａと第２固定シート２０ｂとが分離していることで，これらの第１固定シート２０ａと第２固定シート２０ｂを吸収性本体１０に接合する位置を比較的自由に調整することができるようになる。
【００５６】
［３．第３の実施形態］
続いて，図８及び図９を参照して，本発明に係る吸収性物品１００の第３の実施形態について説明する。第３の実施形態に係る吸収性物品１００は，固定手段２０が２枚のシート部材（第１固定シート２０ａ，第２固定シート２０ｂ）によって構成されている。さらに，第３の実施形態では，第１固定シート２０ａにおける左側自由部２２の起立線と第２固定シート２０ｂにおける右側自由部２３の起立線とが，互いに向かい合った状態となる。第３の実施形態についての説明では，上述した第１の実施形態と同様の構成については説明を省略し，第１の実施形態と異なる構成を中心に説明を行う。
【００５７】
図８は，第３の実施形態に係る吸収性物品１００の断面図である。図８に示されるように，第３の実施形態に係る吸収性物品１００は，第１固定シート２０ａと第２固定シート２０ｂを有している。第１固定シート２０ａと第２固定シート２０ｂは，互いに分離されており，それぞれ異なるシート部材となっている。第１固定シート２０ａは，第１接合部２１ａと左側自由部２２とを有する。また，第２固定シート２０ｂは，第２接合部２１ｂと右側自由部２３とを有する。
【００５８】
図８に示されるように，第１固定シート２０ａの第１接合部２１ａと，第２固定シート２０ｂの第２接合部２１ｂは，吸収性本体１０の肌非対向面の幅方向の中央部分に接合されている。ただし，第１固定シート２０ａの第１接合部２１ａは，比較的左寄りに位置し，第２固定シート２０ｂの第２接合部２１ｂは，比較的右寄りに位置している。このように，第１接合部２１ａと第２接合部２１ｂは互いに分離したものとなる。
【００５９】
また，図８に示されるように，第１固定シート２０ａの第１接合部２１ａのうち，幅方向内側の端部から左側自由部２２が延出している。そして，左側自由部２２は，第１接合部２１ａの幅方向内側の端部を起点（折線）として，幅方向の左方外側に向かって折り返されている。同様に，第２固定シート２０ｂの第２接合部２１ｂのうち，幅方向内側の端部から右側自由部２３が延出している。そして，右側自由部２３は，第２接合部２１ｂの幅方向内側の端部を起点（折線）として，幅方向の右方外側に向かって折り返されている。このように，第１固定シート２０ａと第２固定シート２０ｂとを幅方向外側に折り返すことによって，左側自由部２２と右側自由部２３とが形成することができる。
【００６０】
また，図８に示されるように，折り返された状態にある左側自由部２２の肌非対向面側に，接着部２４が設けられている。同様に，折り返された状態にある右側自由部２３の肌非対向面側に接着部２４が設けられている。このため，左側自由部２２と右側自由部２３を折り返した状態のままで，その接着部２４を着用者の衣類に対して取り付けることができる。
【００６１】
第３の実施形態では，第１固定シート２０ａにおける左側自由部２２の起立線（第１接合部２１ａと左側自由部２２の境界線）と第２固定シート２０ｂにおける右側自由部２３の起立線（第２接合部２１ｂと右側自由部２３の境界線）の間隔を近づけることができる。例えば，図８では，左側自由部２２の起立線と右側自由部２３の起立線の間隔が，符号Ｓで示されている。起立線同士の間隔Ｓは，例えば，１０ｍｍ以下又は５ｍｍ以下とすることが好ましい。起立線同士の間隔Ｓは，０ｍｍであってもよい。このように，起立線同士の間隔Ｓを狭くすることで，左側自由部２２と右側自由部２３を折り曲げて接着部２４を着用者の衣類に取り付けたときでも，その影響が吸収性本体１０にほとんど及ばなくなる。つまり，起立線同士の間隔Ｓを狭くすることで，左側自由部２２と右側自由部２３とを着用者の衣類に接着した状態において，吸収性本体１０が折れ曲がって形が崩れてしまうことを効果的に防止できる。
【００６２】
また，第３の実施形態によれば，左側自由部２２と右側自由部２３の起立線の間隔を近づけた場合であっても，第１接合部２１ａと第２接合部２１ｂの横幅を広く確保することができる。例えば，第１接合部２１ａの横幅Ｗ２ａと，第２接合部２１ｂの横幅Ｗ２ｂは，それぞれ，１０ｍｍ以上又は２０ｍｍ以上とすることができる。ただし，横幅Ｗ２ａと横幅Ｗ２ｂの合計値は，吸収性本体１０の横幅Ｗ１（図２参照）以下となる（Ｗ２ａ＋Ｗ２ｂ≦Ｗ１）。なお，第１接合部２１ａの横幅Ｗ２ａと第２接合部２１ｂの横幅Ｗ２ｂは，実質的に等しい（誤差１ｍｍ以内）であることが好ましい。このように，第１接合部２１ａの横幅Ｗ２ａと第２接合部２１ｂの横幅Ｗ２ｂを広く確保することで，第１固定シート２０ａと第２固定シート２０ｂを，吸収性本体１０に対して強固に接合することができる。
【００６３】
図９は，第３の実施形態に係る吸収性物品１００をトランクスタイプの下着に取り付けた状態を模式的に示している。図９に示されるように，トランクスタイプの下着は，例えば図３に示されたボクサータイプの下着と異なり，着用者の股下を覆う部位に平面的な部分がほとんど存在しない。ただし，トランクスタイプの下着にも，ボクサータイプと同様に，着用者の太腿周りを覆う裾部分が存在している。図９に示されるように，股下に平面的な部分がほとんど存在しない下着には，第３の実施形態に係る吸収性物品１００のように，左側自由部２２と右側自由部２３の起立線の間隔を近づけることとのできる形態が適している。すなわち，第３の実施形態に係る吸収性物品１００は，股下の平面部分が存在しないタイプの下着に対しても，その下着の裾部分に，左側自由部２２と右側自由部２３に設けられた接着部２４を適切に取り付けることができる。また，図９に示されるように，左右の自由部２２，２３と吸収性本体１０は乖離しているため，接着部２４を下着の裾部分に付着させた際にも，吸収性本体１０は折れ曲がらずに適切な形状を維持できる。これにより，吸収性本体１０と着用者の股下が密着し続けるため，吸収性本体１０によって尿などの液体を効果的に捕集することができる。
【００６４】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００６５】
本発明は，使い捨ておむつや吸収性パッドなどの吸収性物品に関する。従って，本発明は，吸収性物品等の製造業において好適に利用することができる。
【符号の説明】
【００６６】
１０…吸収性本体              １１…トップシート      １２…バックシート
１３…吸収体                  １４…サイドシート      １５…弾性伸縮部材
２０…固定手段（固定シート）  ２０ａ…第１固定シート  ２０ｂ…第２固定シート
２１…接合部                  ２１ａ…第１接合部      ２１ｂ…第２接合部
２２…左側自由部              ２３…右側自由部        ２４…接着部
２５…剥離シート              ２６…ミシン目          ３１…接合箇所
３２…非接合箇所              １００…吸収性物品
【図１】
0006443051.tif 000002
【図２】
0006443051.tif 000003
【図３】
0006443051.tif 000004
【図４】
0006443051.tif 000005
【図５】
0006443051.tif 000006
【図６】
0006443051.tif 000007
【図７】
0006443051.tif 000008
【図８】
0006443051.tif 000009
【図９】
0006443051.tif 000010